(57)【特許請求の範囲】
【請求項１】
建物の出隅部にコーナー部材が設けられる出隅構造において、
上記コーナー部材は、外壁面材と、当該外壁面材の内側に固定されるフレームと、当該フレームの下端に固定された下部接合プレートと、上記フレームの上端に固定された上部接合プレートとからなり、
上記下部接合プレートが水平方向の移動が制限されるように基礎上または下階のコーナー部材で支持されるとともに、上記上部接合プレートが水平方向の移動が制限されるように上記出隅部の柱の側に取り付けられ、
上記上部接合プレートが、上記出隅部の柱の側に設けられた水平方向保持プレートに１本の縦配置に設けられた締結部材によって取り付けられ、
上記水平方向保持プレートが水平板部と立上取付部を有しており、上記出隅部の柱には横断面十字形の接合部材が設けられており、上記水平方向保持プレートが上記立上取付部によって上記接合部材に上下方向位置調節可能に取り付けられており、上記水平方向保持プレートの上記水平板部に上記上部接合プレートが取り付けられることを特徴とする建物の出隅構造。
【請求項２】
請求項１に記載の建物の出隅構造において、上記下部接合プレートには挿通孔が形成されており、上記基礎の側または下階のコーナー部材の側から上方に突出する突出部材が上記挿通孔に挿通されることを特徴とする建物の出隅構造。
【請求項３】
請求項１に記載の建物の出隅構造において、上記上部接合プレートには挿通孔が形成されており、上階のコーナー部材の側から下方に突出する突出部材が上記挿通孔に挿通されることを特徴とする建物の出隅構造。
【請求項４】
請求項２に記載の建物の出隅構造において、上記基礎の側から上方に突出する突出部材は頭部を下にして基礎上に配置されたボルトであることを特徴とする建物の出隅構造。
【請求項５】
請求項２〜請求項４のいずれか１項に記載の建物の出隅構造において、上記コーナー部材の側から突出する突出部材は上記上部接合プレートまたは上記下部接合プレートに設けられたボルトのねじ部であることを特徴とする建物の出隅構造。
【発明の詳細な説明】
【技術分野】
【０００１】
この発明は、建物の出隅にコーナー部材が設けられる出隅構造に関する。
【背景技術】
【０００２】
特許文献１には、パネル成形体と、下地鉄板と、この下地鉄板に設けられてパネル成形体に埋め込まれるアンカー部材とを有する出隅用外壁パネル（コーナー部材）が開示されている。上記下地鉄板は柱取付部を有し、この柱取付部が出隅部の柱に取付けられる。
【先行技術文献】
【特許文献】
【０００３】
【特許文献１】特開２００９−２４９８８１号公報
【発明の概要】
【発明が解決しようとする課題】
【０００４】
しかしながら、上記特許文献１の出隅用外壁パネルにおいては、当該出隅用外壁パネルの下地鉄板に上下方向に長く柱取付部が形成されており、この柱取付部が出隅部の柱の側面に接触させて取り付けられるため、現場施工において取り付けの手間がかかるものであった。
【０００５】
この発明は、上記の事情に鑑み、施工現場でのコーナー部材の取付の施工性を向上できる建物の出隅構造を提供することを課題とする。
【課題を解決するための手段】
【０００６】
この発明の建物の出隅構造は、上記の課題を解決するために、建物の出隅部にコーナー部材が設けられる出隅構造において、上記コーナー部材は、外壁面材と、当該外壁面材の内側に固定されるフレームと、当該フレームの下端に固定された下部接合プレートと、上記フレームの上端に固定された上部接合プレートとからなり、上記下部接合プレートが水平方向の移動が制限されるように基礎上または下階のコーナー部材で支持されるとともに、上記上部接合プレートが水平方向の移動が制限されるように上記出隅部の柱の側に取り付けられることを特徴とする。
【０００７】
上記の構成であれば、上記コーナー部材は、その上端に固定された上記上部接合プレートと、その下端に固定された上記下部接合プレートとによって建物に取り付けられるので、現場での取り付けの施工性が向上する。また、上記下部接合プレートおよび上記上部接合プレートは水平方向の移動が制限できればよいので、薄く形成することが可能である。
【０００８】
上記下部接合プレートには挿通孔が形成されており、上記基礎の側または下階のコーナー部材の側から上方に突出する突出部材が上記挿通孔に挿通されるようにしてもよい。これによれば、上記突出部材を上記挿通孔に差し込むという比較的簡単な作業で建物の出隅構造を構築していくことができる。或いは、上記上部接合プレートには挿通孔が形成されており、上階のコーナー部材の側から下方に突出する突出部材が上記挿通孔に挿通されることとしてもよい。
【０００９】
上記基礎の側から上方に突出する突出部材は頭部を下にして基礎上に配置されたボルトであってもよい。これによれば、上記突出部材として専用のピン部材を採用するものではないので、低コスト化が図れる。
【００１０】
上記コーナー部材の側から突出する突出部材は上記上部接合プレートまたは上記下部接合プレートに設けられたボルトのねじ部であってもよい。これによれば、上記突出部材として専用のピン部材を採用するものではないので、低コスト化が図れる。
【００１１】
上記上部接合プレートが、上記出隅部の柱の側に設けられた水平方向保持プレートに１本の縦配置に設けられた締結部材によって取り付けられてもよい。これによれば、上記１本の締結部材が調整機構となって、上記コーナー部材の取り付け調整が行いやすくなる。
【００１２】
上記水平方向保持プレートが水平板部と立上取付部を有しており、上記出隅部の柱には横断面十字形の接合部材が設けられており、上記水平方向保持プレートが上記立上取付部によって上記接合部材に上下方向位置調節可能に取り付けられており、上記水平方向保持プレートの上記水平板部に上記上部接合プレートが取り付けられるようにしてもよい。これによれば、上記水平方向保持プレートが上下方向位置調節可能となるので、上記コーナー部材の荷重を上記柱に極力加わらないようにすることができる。
【発明の効果】
【００１３】
本発明であれば、建物の出隅部にコーナー部材が設けられる出隅構造において、上記コーナー部材の取付の施工性を向上でき、また低コスト化が図れる等の諸効果を奏する。
【図面の簡単な説明】
【００１４】
【図１】本発明の実施形態の建物の出隅構造を有する外壁構造の横断面を示した概略の説明図である。
【図２】図１の外壁構造の一部を示した概略の組み立て斜視図である。
【図３】建物の出隅構造の基礎部を丸で囲んで示した図である。
【図４】本発明の実施形態の出隅部の基礎側の正面を拡大して示した概略の説明図である。
【図５】図４のＡ１−Ａ１矢視の概略断面図である（一部ハッチングを省略している）。
【図６】図４のＡ２−Ａ２矢視の概略断面図である（一部ハッチングを省略している）。
【図７】本発明の実施形態の出隅部の概略の組み立て斜視図である。
【図８】建物の出隅構造の中間部を丸で囲んで示した図である。
【図９】本発明の実施形態の出隅部の中間部を拡大して示した概略の正面図である。
【図１０】図９のＢ１−Ｂ１矢視の概略断面図である（一部ハッチングを省略している）。
【図１１】図９のＢ２−Ｂ２矢視の概略断面図である（一部ハッチングを省略している）。
【図１２】建物の出隅構造のバルコニー部を丸で囲んで示した図である。
【図１３】本発明の実施形態の出隅部のバルコニー部を拡大して示した概略の正面図である。
【図１４】図１３のＣ１−Ｃ１矢視の概略断面図である（一部ハッチングを省略している）。
【図１５】図１３のＣ２−Ｃ２矢視の概略断面図である（一部ハッチングを省略している）。
【発明を実施するための形態】
【００１５】
以下、この発明の実施の形態を添付図面に基づいて説明する。
図１に示す外壁構造例では、例えば、柱２は２Ｐ（Ｐ＝９１０ｍｍ）間隔で配置されている。外壁パネル１は横幅が２Ｐのものもあればそうでないものもある。また、この外壁構造例では、外壁の出隅部１０１や入隅部１０２も示されている。上記出隅部１０１にはコーナー部材５が配置される。上記外壁パネル１および上記コーナー部材５が、上記柱２および梁３（図２等参照）で構成される構造躯体の屋外側に配置され、カーテンウォール形式の構造となっている。なお、出隅部１０１の柱には符号２Ａを付している。
【００１６】
上記外壁パネル１においては、そのフレーム１１内に繊維系断熱材１ａが配置されており、上記フレーム１１の室内側に上記繊維系断熱材１ａを覆うようにシート１ｂが設けられており、上記フレーム１１の屋外側に外張断熱材１ｃが設けられており、上記外張断熱材１ｃと外壁面材１ｄとの間に通気層１ｅを形成するように下地桟１ｆが配置されている。また、上記通気層１ｅに面する上記外張断熱材１ｃの面に透湿防水シートが設けられている。もちろん、上記外壁パネル１は上記のような構造に限られるものではない。
【００１７】
図２に示しているように、上記フレーム１１は、対向する左右の縦フレーム１１ａ・１１ａと上下の横フレーム１１ｂ・１１ｂとを備えた方形枠形状を有する。上記縦フレーム１１ａおよび上記横フレーム１１ｂは、フランジとフランジを繋ぐウェブで構成される溝型鋼から成る。上記縦フレーム１１ａと上記横フレーム１１ｂの端部同士の接合は、例えば、角部の重ね合わせ箇所において打ち込まれたリベットにより行われる。
【００１８】
また、上記外壁パネル１は、その上部において、上記フレーム１１の背面側のフランジから水平方向に突出する両切りのボルト部１２を有しており、その下部において上記フレーム１１のウェブに形成された上下方向に貫通するフレーム挿通孔１３を有している。なお、図２は１階側で上記外壁パネル１の下側が建物基礎４に支持される構造例を示している。
【００１９】
上記建物基礎４上には上記柱２を上記建物基礎４に連結する第１基礎上部材２１が設けられている。そして、上記第１基礎上部材２１よりも外側の位置にボルト４１がその頭部を下に向けて配置されている。
【００２０】
上記建物基礎４上にはアンカーボルト４ａの上端部が突出しており、このアンカーボルト４ａを用いて上記第１基礎上部材２１が上記建物基礎４に固定される。上記第１基礎上部材２１の柱状部分は横断面コ字形状を有している。そして、ボルト受けプレート４２が上記ボルト４１の頭部と上記建物基礎４との間に設けられている。
【００２１】
上記建物基礎４上に配置された上記ボルト４１が上記フレーム１１の上記フレーム挿通孔１３に通され、上記ボルト４１に螺合されたナット４３が上記フレーム１１の下側に位置している。また、上記フレーム１１の下面と上記ナット４３との間に接続プレート４４が設けられている。この接続プレート４４は断面Ｌ字形状を有しており、その水平片部を上記フレーム１１の下面と上記ナット４３との間に位置させている。上記水平片部には、２個のボルト挿通用の孔が形成されている。また、上記接続プレート４４は、その垂直片部を上に向けた状態で上記第１基礎上部材２１の上記柱状部分に対向させている。上記垂直片部には、上記２個のボルト挿通用の孔の間（隣り合うボルト４１の間）の中間垂直線上に位置するように、１個の貫通孔４４ｂが形成されており、この貫通孔４４ｂに通されたボルト４５および図示しないナットによって上記接続プレート４４が上記第１基礎上部材２１の柱状部分に固定されている。
【００２２】
すなわち、上記のように、隣り合う外壁パネル１の近接する上記フレーム挿通孔１３には、隣り合うように位置する上記ボルト４１が頭部を下にして挿通されており、上記フレーム１１の底部を受け止めるとともに上記隣り合うボルト４１が貫通する孔を有した上記接続プレート４４が、建物基礎４上の上記第１基礎上部材２１に水平に設けられた１本のボルト４５を中心に水平軸回りに回動可能に設けられており、上記隣り合うボルト４１には上記接続プレート４４の下側でナット４３が螺合されている。上記ナット４３を回すことで上記外壁パネル１の高さ調節が行える。なお、上記外壁パネル１は、その下部において上記建物基礎４に固定されているわけではない。また、上記接続プレート４４が上記１本のボルト４５を中心に水平軸回りに回動可能に設けられていると、上記２本のボルト４１に設けられた上記ナット４３による各々の高さ調節が行いやすくなる。
【００２３】
また、例えば、上記柱２の無い箇所にも、上記建物基礎４上にアンカーボルト４ａの上端部が突出しており、このアンカーボルト４ａを用いて第２基礎上部材４７が上記建物基礎４に固定される。そして、上記ボルト受けプレート４２が上記ボルト４１の頭部と上記建物基礎４との間に設けられている。また、上記ボルト受けプレート４２上に上記ボルト４１が設けられている。
【００２４】
そして、この柱２の無い箇所においても、上記建物基礎４上に配置された上記ボルト４１が上記フレーム１１の上記フレーム挿通孔１３に通されており、上記ボルト４１に螺合されたナット４３が上記フレーム１１の下側に位置している。また、上記フレーム１１の下面と上記ナット４３との間に接続プレート４４が設けられている。この接続プレート４４は断面Ｌ字形状を有しており、その水平片部を上記フレーム１１の下面と上記ナット４３との間に位置させている。上記水平片部には、２個のボルト挿通用の孔が形成されている。また、上記接続プレート４４の垂直片部が上記第２基礎上部材４７の垂直部分に取り付けられる。上記垂直片部には、上記２個のボルト挿通用の孔の間の中間垂直線上に位置するように、１個の貫通孔が形成されており、この貫通孔に通されたボルトによって上記接続プレート４４が上記第２基礎上部材４７に固定されている。
【００２５】
すなわち、上記のように、隣り合う外壁パネル１の近接する上記フレーム挿通孔１３には、隣り合うように位置する上記ボルト４１が頭部を下にして挿通されており、上記フレーム１１の底部を受け止めるとともに上記隣り合うボルト４１が貫通する孔を有した上記接続プレート４４が、上記建物基礎４上の上記第２基礎上部材４７に水平に設けられた１本のボルト４５（図２では表れていない）を中心に水平軸回りに回動可能に設けられており、上記隣り合うボルト４１には上記接続プレート４４の下側でナット４３が螺合されている。
【００２６】
また、図２に示したように、例えば、上記フレーム１１の上部右角部は上記ボルト部１２を用いて上記構造躯体に固定されている。具体的には、上記柱２と上記梁３とを接合する接合部材２２に設けられた第１取付部材２３には挿通孔２３ａが形成されており、この挿通孔２３ａに通した上記ボルト部１２を用いて上記フレーム１１が上記構造躯体に固定されている。そして、上記フレーム１１の上部左角部は上記ボルト部１２を用いて上記構造躯体に固定されている。具体的には、上記柱２の存在しない箇所の上記梁３に設けられた第２取付部材３１には挿通孔３１ａが形成されており、この挿通孔３１ａに通した上記ボルト部１２を用いて上記フレーム１１が上記構造躯体に固定されている。
【００２７】
次に、上記出隅部１０１の構造について説明していく。図３は建物の出隅部１０１の基礎側を丸で囲んで示しており、図４は出隅部１０１の基礎側におけるコーナー部材５の取り付け状態を示している。また、図５は図４のＡ１−Ａ１矢視の概略断面図であり、図６は同Ａ２−Ａ２矢視の概略断面図である。図７は出隅部１０１におけるコーナー部材５の取り付けを示した概略の斜視図である。なお、上記外壁パネル１の取り付けに関連して示された部材と同様の機能を有する部材には同一の符号を付記している。
【００２８】
上記コーナー部材５は交差状に隣り合う上記外壁パネル１間の出隅部１０１において設けられる。上記コーナー部材５は、外壁面材５１と、当該外壁面材５１の内側に固定されるフレーム５２と、当該フレーム５２の下端に固定された下部接合プレート５３と、上記フレーム５２の上端に固定された上部接合プレート５４とからなる。上記下部接合プレート５３および上記上部接合プレート５４は上記フレーム５２に溶接等によって固定されている。上記フレーム５２は、面材下地鉄板となる外側部材５２ａと、これに固定される内側部材５２ｂとからなる。上記外側部材５２ａに上記外壁面材５１がビス５５によって内側から固定される。また上記外側部材５２ａは上記内側部材５２ｂにビス５６によって固定される。また、上記フレーム５２内に繊維系断熱材５７が設けられている。
【００２９】
上記内側部材５２ｂは、上記柱２Ａの角部から一定距離をおく凹形状を有する。また、上記コーナー部材５の上記下部接合プレート５３は、上記内側部材５２ｂの凹形状に対応して方形板の角を切り欠いて凹部を形成した形状を有している。上記下部接合プレート５３は、図７に示すように、上記建物基礎４上の二点鎖線で示された位置に配置される。上記下部接合プレート５３には、上記凹部が形成されたことによる２箇所の辺の近くにおいてそれぞれ挿通孔５３ａが形成されている。上記挿通孔５３ａの一つは、上記柱２Ａの出隅となる角の一つの面に対向して位置し、上記挿通孔５３ａの他の一つは、上記柱２Ａの出隅となる角の他の一つの面に対向して位置している。
【００３０】
上記出隅部１０１の柱２Ａにおいても、上記第１基礎上部材２１が上記アンカーボルト４ａを用いて上記建物基礎４に固定される。そして、ボルト受けプレート４２が上記ボルト４１の頭部と上記建物基礎４との間に設けられている。上記の頭部を下にして配置されたボルト４１は、上記建物基礎４の側から上方に突出する突出部材となるものである。
【００３１】
そして、上記建物基礎４上に配置された上記ボルト４１（図７では二点鎖線で示している）が上記コーナー部材５の上記下部接合プレート５３の挿通孔５３ａに通されており、上記ボルト４１に螺合されたナット４３が上記下部接合プレート５３の下方に位置している。また、上記下部接合プレート５３の下面と上記ナット４３との間に接続プレート４４が設けられている。上記下部接合プレート５３は、上記建物基礎４上の上記接続プレート４４およびボルト４１等によって支持されることになる。また、上記下部接合プレート５３は、上記コーナー部材５の重量を受けて下側の上記接続プレート４４およびボルト４１等に伝達するが、単に真上から受けて真下に伝達するだけであり、曲げ等の力が働くものではない。
【００３２】
上記柱２Ａの出隅となる角部の側の一つの面に対向して一つの接続プレート４４が位置し、上記柱２Ａの出隅となる角部の側の他の一つの面に対向して他の接続プレート４４が位置している。それぞれの接続プレート４４において、２本のうちの１本の上記ボルト４１のねじ部が上記下部接合プレート５３の挿通孔５３ａに差し込まれる。また、上記それぞれの接続プレート４４において、２本のうちの他の１本の上記ボルト４１のねじ部が上記フレーム１１のフレーム挿通孔１３に差し込まれることになる。
【００３３】
上記接続プレート４４は、先にも説明したが、断面Ｌ字形状を有しており、その水平片部を上記下部接合プレート５３の下面と上記ナット４３との間に位置させている。上記水平片部には、２個のボルト挿通用の孔が形成されている。また、上記接続プレート４４は、その垂直片部を上に向けた状態で上記第１基礎上部材２１の上記柱状部分に対向させている。上記垂直片部には、上記２個のボルト挿通用の孔の間（隣り合うボルト４１の間）の中間垂直線上に位置するように、１個の貫通孔４４ｂが形成されており、この貫通孔４４ｂに通されたボルト４５および図示しないナット（または螺子孔とされた貫通孔４４ｂ）によって上記接続プレート４４が上記第１基礎上部材２１の柱状部分に固定されている。
【００３４】
すなわち、隣り合うコーナー部材５と外壁パネル１との近接する箇所には２本の上記ボルト４１が頭部を下にして配置されており、上記接続プレート４４が建物基礎４上の上記第１基礎上部材２１に水平に設けられた１本のボルト４５を中心に水平軸回りに回動可能に設けられており、上記２本のボルト４１には上記接続プレート４４の下側でナット４３が螺合されている。上記ナット４３を回すことで上記外壁パネル１および上記コーナー部材５の高さ調節がそれぞれ行える。上記外壁パネル１および上記コーナー部材５は、その下部において上記建物基礎４に固定されているわけではない。また、上記接続プレート４４が上記１本のボルト４５を中心に水平軸回りに回動可能に設けられていると、上記２本のボルト４１に設けられた上記ナット４３による上記外壁パネル１および上記コーナー部材５の各々の高さ調節が行いやすくなる。
【００３５】
また、図７に示したように、上記コーナー部材５の上記上部接合プレート５４は、上記柱２Ａの上端よりも上に位置し、上記柱２と上記梁３とを接合する上記接合部材２２の上端よりも下に位置する。上記上部接合プレート５４は上記接合部材２２を介して上記柱２Ａに取り付けられる。上記接合部材２２は、Ｈ型鋼にそのウェブを挟んで２枚の方形状の板部材を溶接したもので横断面十字形を有する。また、上記上部接合プレート５４に関し、図８は上階にコーナー部材５が位置する建物の出隅部１０１の箇所を丸で囲んで示しており、図９は出隅部１０１の上記丸で囲んだ箇所を拡大して示している。また、図１０は図９のＢ１−Ｂ１矢視の概略断面図であり、図１１は同Ｂ２−Ｂ２矢視の概略断面図である。さらに、図１２は上部がバルコニー腰壁である建物の出隅部１０１の箇所を丸で囲んで示しており、図１３は出隅部１０１の上記丸で囲んだ箇所を拡大して示している。また、図１４は図１３のＣ１−Ｃ１矢視の概略断面図であり、図１５は同Ｃ２−Ｃ２矢視の概略断面図である。なお、上記柱２Ａ上の上記接合部材２２の上部にはジョイント部２Ｂが接合されており、このジョイント部２Ｂの２側面に上記梁３が接合される。
【００３６】
また、上記上部接合プレート５４は、上記接合部材２２の角部に対向する箇所が鉤状に切りかかれたことで角凸部５４ａを有しており、この角凸部５４ａに連結用挿通孔５４ｂを有している。そして、上記上部接合プレート５４には、上記鉤状に切りかかれた部位の両端２箇所の辺の近くにそれぞれ挿通孔５４ｃが形成されている。上記挿通孔５４ｃの一つは、上記接合部材２２の出隅角の一つの側面部に対向した位置であって上記一つの挿通孔５３ａの上方となる箇所に位置し、上記挿通孔５４ｃの他の一つは、上記接合部材２２の出隅角の他の一つの側面部に対向した位置であって上記他の一つの挿通孔５３ａの上方となる箇所に位置する。
【００３７】
また、上記挿通孔５４ｃの位置する上記上部接合プレート５４の下面箇所にはナット５４ｄが溶接されており、各ナット５４ｄに両切ボルト５４ｅ（図７では二点鎖線で示している）が螺合されている。なお、上記両切ボルト５４ｅを接着剤などによって上記ナット５４ｄに固定するようにしてもよい。上記両切ボルト５４ｅが下階のコーナー部材５の側から上方に突出する突出部材となる。上記両切ボルト５４ｅは、上階のコーナー部材５の下部接合プレート５３の挿通孔５３ａに差し込まれる。そして、上階のコーナー部材５の重量が下階のコーナー部材５に伝達され、それらの重量が上記建物基礎４に伝達される。なお、この例では、上記下部接合プレート５３に挿通孔挿通孔５３ａが形成され、下階のコーナー部材５の上面側から上方に突出する突出部材が上記挿通孔５３ａに挿通されることとしたが、これに限らず、上部接合プレート５４に挿通孔が形成され、上階のコーナー部材５の下面側から下方に突出する突出部材が上記接合プレート５４の挿通孔に挿通されるようにしてもよい。
【００３８】
また、上記上部接合プレート５４は、水平方向保持プレート６を介して上記接合部材２２に固定される。上記水平方向保持プレート６は、例えばプレス加工された金属板からなり、水平板部６１と２枚の立上取付部６２を有する。上記２枚の立上取付部６２は９０度交差配置に設けられている。上記水平板部６１および上記立上取付部６２にはそれぞれボルト挿通孔が形成されている。上記２枚の立上取付部６２は、上記接合部材２２における十字配置の隣り合う板片に対向し、当該板片に形成されているボルト挿通孔２２ａおよび上記立上取付部６２のボルト挿通孔に通されたボルト２２ｂとナット２２ｃ（図９参照）によって上記接合部材２２に固定されている。上記ボルト挿通孔２２ａは縦に長い長孔であり、上記水平方向保持プレート６の上下位置調節が行えるようにしている。なお、上記立上取付部６２のボルト挿通孔を縦に長い長孔とするようにしてもよい。
【００３９】
上記水平方向保持プレート６の水平板部６１は上記上部接合プレート５４の角凸部５４ａを下から受けるように配置され、上記連結用挿通孔５４ｂおよび上記水平板部６１のボルト挿通孔に挿通されたボルト６１ａとナット６１ｂ（締結部材、図９参照）によって上記上部接合プレート５４が上記水平方向保持プレート６に固定される。
【００４０】
上記ナット４３を回すことで上記コーナー部材５の高さ調節が行われ、この高さ調節によって上記上部接合プレート５４の高さ位置が変動し、上記水平方向保持プレート６の位置も変動する。上記水平方向保持プレート６は、上記コーナー部材５の高さ調節が行われた後に、上記ボルト２２ｂとナット２２ｃとによって、上記接合部材２２に固定される。上記ボルト２２ｂの位置は上記縦に長い長孔のボルト挿通孔２２ａによって位置調整可能となる。
【００４１】
なお、図１２、図１３、図１４および図１５に示したバルコニー部の出隅においては、上記コーナー部材５上には腰壁用コーナー部材５Ａが設けられる。この腰壁用コーナー部材５Ａにおけるフレームなどは上記コーナー部材５のフレーム５２とは必ずしも同じである必要はない。また、上記腰壁用コーナー部材５Ａの重量をその下のコーナー部材５が受けずに、腰壁接合金物７が受けるようにしてもよい。上記腰壁接合金物７は、上記ジョイント部２Ｂにねじ７１によって固体される。また、上記腰壁接合金物７には、腰壁パネル１Ａが支持される。
【００４２】
また、図１０における上記下部接合プレート５３横のハッチングで示された部材８は、図９において下側のコーナー部材５の外壁面材５１の上端から上方に突出して当該コーナー部材５の上部接合プレート５４の上方に位置するように設けられており、上側のコーナー部材５の下端に設けられた止水材８１を受け止めるようになっている。図１４においてハッチングにより示された部材８についても同様である。なお、上記下部接合プレート５３は上記コーナー部材５のフレーム５２の端部形状に一致していなくてもよく、例えば、上記部材８の形状の分を切除されたような形状を有していてもよい。
【００４３】
上記の構成であれば、上記コーナー部材５は、その上端に固定された上記上部接合プレート５４と、その下端に固定された上記下部接合プレート５３とによって建物に取り付けられるので、現場での施工性が向上する。また、上記下部接合プレート５３および上記上部接合プレート５４は、水平方向の移動を制限できればよいので、薄く形成することが可能である。
【００４４】
上記下部接合プレート５３に挿通孔５３ａが形成されており、上記建物基礎４の側または下階のコーナー部材５の側から上方に突出する突出部材（ボルト４１または両切ボルト５４ｅ）が上記挿通孔５３ａに挿通されるようにすると、上記挿通孔５３ａに上記突出部材を差し込むという比較的簡単な作業で建物の出隅構造を構築していくことができる。さらに、上記突出部材を上記挿通孔５３ａに差し込むだけの構造としているので、より作業が簡単化される。
【００４５】
上記建物基礎４の側から上方に突出する突出部材が頭部を下にして建物基礎４上に配置されたボルト４１であると、上記突出部材として専用のピン部材を採用するものではないので、低コスト化が図れる。
【００４６】
上記下階のコーナー部材５の側から上方に突出する突出部材が上記上部接合プレート５４に設けられたボルトのねじ部（両切ボルト５４ｅ）であると、上記突出部材として専用のピン部材を採用するものではないので、低コスト化が図れる。また、上記上階のコーナー部材５の側から下方に突出する突出部材が上記下部接合プレート５３に設けられたボルトのねじ部（両切ボルト）とした場合も、上記突出部材として専用のピン部材を採用するものではないので、低コスト化が図れる。
【００４７】
上記上部接合プレート５４が、上記出隅部１０１の柱２Ａの側に設けられた水平方向保持プレート６に１本の縦配置に設けられた締結部材（ボルト６１ａとナット６１ｂ）によって取り付けられると、上記１本の締結部材が調整機構となって、上記コーナー部材５の取り付け調整が行いやすくなる。
【００４８】
上記水平方向保持プレート６が水平板部６１と立上取付部６２を有しており、上記出隅部１０１の柱２Ａには横断面十字形の接合部材２２が設けられており、上記水平方向保持プレート６が上記立上取付部６２によって上記接合部材２２に上下方向位置調節可能に取り付けられており、上記水平方向保持プレート６の上記水平板部６１に上記上部接合プレート５４が取り付けられると、上記水平方向保持プレート６が上下方向位置調節可能となるので、上記コーナー部材５の荷重を上記柱２Ａに極力加わらないようにすることができる。
【００４９】
以上、図面を参照してこの発明の実施形態を説明したが、この発明は、図示した実施形態のものに限定されない。図示した実施形態に対して、この発明と同一の範囲内において、あるいは均等の範囲内において、種々の修正や変形を加えることが可能である。
【符号の説明】
【００５０】
１      外壁パネル
１１    フレーム
２      柱
２Ａ    出隅部の柱
２１    第１基礎上部材
２２    接合部材
３      梁
４      建物基礎
４１    ボルト（突出部材）
４２    ボルト受けプレート
４３    ナット
４４    接続プレート
５      コーナー部材
５１    面材
５２    フレーム
５３    下部接合プレート
５３ａ  挿通孔
５４    上部接合プレート
５４ｂ  挿通孔
５４ｅ  両切ボルト（突出部材）
６      水平方向保持プレート
６１    水平板部
６１ａ  ボルト（締結部材）
６１ｂ  ナット（締結部材）
６２    立上取付部
【図１】
0005894562.tif 000002
【図２】
0005894562.tif 000003
【図３】
0005894562.tif 000004
【図４】
0005894562.tif 000005
【図５】
0005894562.tif 000006
【図６】
0005894562.tif 000007
【図７】
0005894562.tif 000008
【図８】
0005894562.tif 000009
【図９】
0005894562.tif 000010
【図１０】
0005894562.tif 000011
【図１１】
0005894562.tif 000012
【図１２】
0005894562.tif 000013
【図１３】
0005894562.tif 000014
【図１４】
0005894562.tif 000015
【図１５】
0005894562.tif 000016